(57)【特許請求の範囲】
【請求項１】
整流手段(60)が立設された底板(54)と、この底板(54)の周縁部に立設する周壁(56)とから上方に開口する平面略矩形のトレー状に形成した貯留本体(52)に、排水を受容するドレンパンにおいて、
前記整流手段(60)を、
前記貯留本体(52)の中央と各角隅部(52a)との間に立設され、該貯留本体(52)の対角線に沿って延在する第１整流部材(62)と、
前記各第１整流部材(62)の両側に離間して立設され、前記貯留本体(52)の中央側から対応の角隅部(52a)に向かうにつれて該第１整流部材(62)に向けて斜めに延在する第２整流部材(64,64)とから構成した
ことを特徴とするドレンパン。
【請求項２】
前記周壁(56)の一辺をなす壁部(57)の少なくとも一つは、その側端部分(57a)の夫々が外方に向けて突出するように形成され、前記貯留本体(52)の内側に、該側端部分(57a)が接続する角隅部(52a)に対応して、前記第１整流部材(62)から離間するバッファ部(68)が画成される請求項１記載のドレンパン。
【請求項３】
前記バッファ部(68,68)を画成する前記壁部(57)の中央部分(57b)に、外方に延出する把手部(72)が設けられている請求項２記載のドレンパン。
【請求項４】
前記整流手段(60)は、各第１整流部材(62)と前記貯留本体(52)の中央との間の底板(54)に該第１整流部材(62)と離間して夫々立設され、該貯留本体(52)の対角線に沿って延在する第３整流部材(66)を備えている請求項１〜３の何れかに記載のドレンパン。
【請求項５】
前記貯留本体(52)および整流手段(60)は、該貯留本体(52)の中央を通って前後または左右に沿って延在する仮想線を挟んで対称に構成される請求項１〜４の何れかに記載のドレンパン。
【発明の詳細な説明】
【技術分野】
【０００１】
この発明は、整流手段が立設された底板と、この底板の周縁部に立設する周壁とから上方に開口するトレー状に形成した貯留本体に、排水を受容するドレンパンに関するものである。
【背景技術】
【０００２】
装置本体に収納した食品や飲料品等の物品を冷却するための冷却機構を有する装置として図８に例示する冷蔵庫１０では、装置本体としての断熱箱体１２に収納室１４を内部画成すると共に、断熱箱体１２の下部に配設した機体１５に冷却機構を構成する圧縮機や凝縮器および電装盤等(何れも図示せず)を収納する機械室１６が内部画成される。そして、冷却機構を冷却運転することで、収納室１４に設置した冷却機構の一部をなす冷却器(図示せず)が冷却され、この冷却器に収納室１４内の空気を接触させながら循環することにより、収納室１４内が設定温度に冷却されるに至る。また、断熱箱体１２の前側には、収納室１４に対して物品を出入れするための開口１２ｄが形成されており、この開口１２ｄにはスライド開閉式のガラス扉１８が配設されている。
【０００３】
前記冷却機構では、連続的な冷却運転を行なっていると、冷却器の表面に霜が層状に成長して冷却能力(効率)が低下してしまうため、冷却器への着霜量が所定値を越えた場合は、除霜運転を行なって付着した霜を溶融除去することを行なっている。この除霜運転により生じた除霜水は、機械室１６の下部に設置したドレンパン２０に排出して一時的に貯留される。また、ガラス扉１８,１８に発生した結露水や収納室１４で生じた洗浄水等も、ドレンパン２０に排出されるようになっている。ドレンパン２０は、冷蔵庫１０の前側からの出入れが可能にセットされており、除霜水等の排水が満杯になった場合に、ドレンパン２０を引出して排水の廃棄を行なう。
【０００４】
前記ドレンパン２０は、冷蔵庫１０の底面と据付け床面との間に画成される空間１９に設置するものであるから、平面矩形状を呈する底板２２の周縁部に高さ寸法を抑えた枠状壁部２４を一体的に形成したトレー形状の貯留部２６が基本とされている。このようなドレンパン２０では、冷蔵庫１０から引出す際や持上げて運搬する際に揺すったりまたは傾けたりすると、貯留した排水全体が一気に移動して大きく波打ってしまい、ドレンパン２０外へこぼれてしまう不都合があった。そこで、ドレンパン２０において、貯留部２６内に貯留した排水の移動を規制する堰部材２８を、前後左右方向に沿って底板２２から突出形成することで、排水の流出抑制を図ったものが提案されている(特許文献１参照)。
【特許文献１】特開２０００−２５８０４２号公報
【発明の開示】
【発明が解決しようとする課題】
【０００５】
前述したドレンパン２０では、貯留された排水を廃棄する際には、貯留部２６における任意の角隅部を下端とするように全体を傾けて、排水口等の排出場所に捨てられる。この際、ドレンパン２０を少し傾けただけでは堰部材２８に阻まれて排水の流下量が少なく時間がかかる難点がある。これに対して、ドレンパン２０をある程度大きく傾けると、堰部材２８を乗り越えた排水が急に流下するため、意図しない部位から排水が溢れ出ることがあり、排出場所を濡らしてしまうおそれがある。
【０００６】
すなわち本発明は、従来の技術に係るドレンパンに内在する前記問題に鑑み、これらを好適に解決するべく提案されたものであって、貯留した排水を容易に廃棄し得るドレンパンを提供することを目的とする。
【課題を解決するための手段】
【０００７】
前記課題を克服し、所期の目的を達成するため、本願の請求項１に係る発明のドレンパンは、
整流手段が立設された底板と、この底板の周縁部に立設する周壁とから上方に開口する平面略矩形のトレー状に形成した貯留本体に、排水を受容するドレンパンにおいて、
前記整流手段を、
前記貯留本体の中央と各角隅部との間に立設され、該貯留本体の対角線に沿って延在する第１整流部材と、
前記各第１整流部材の両側に離間して立設され、前記貯留本体の中央側から対応の角隅部に向かうにつれて該第１整流部材に向けて斜めに延在する第２整流部材とから構成したことを特徴とする。
請求項１に係る発明によれば、ドレンパンを引出しまたは運搬する際に、ドレンパンを多少傾けたりまたは揺すっても、貯留本体の底板から立設した整流手段により排水全体の急激な移動を抑制し得るから、貯留した排水が大きく波打つことはなく、排水がドレンパンからこぼれることを好適に回避し得る。また、ドレンパンを貯留本体における任意の角隅部を下端として傾けると、当該角隅部に対応する第１整流部材および第２整流部材が傾斜方向に沿って延在するから、ドレンパンの傾斜により角隅部へ向けて誘導された排水を、これら整流部材に案内させて傾斜下端の角隅部から纏まった状態で排出させることができる。すなわち、ドレンパンに貯留した排水を廃棄する際、意図しない部位からの排水の流出を抑制しつつ、排水口等の排水場所へ容易に廃棄することができる。しかも、傾斜下端となっている角隅部と異なる対角線上に位置する第１および第２整流部材は、排水の流下方向と交差する方向に延在することになるから、排水の急激な流下を抑制するように調節することができる。
【０００８】
請求項２に係る発明は、請求項１記載のドレンパンにおいて、前記周壁の一辺をなす壁部の少なくとも一つは、その側端部分の夫々が外方に向けて突出するように形成され、前記貯留本体の内側に、該側端部分が接続する角隅部に対応して、前記第１整流部材から離間するバッファ部が画成される。
請求項２に係る発明によれば、角隅部を空間的に拡張するバッファ部を設けることで、角隅部を下端として傾斜した際に角隅部に向けて流下する排水を、バッファ部で受けて意図しない流出を抑制することができる。
【０００９】
請求項３に係る発明は、請求項２記載のドレンパンにおいて、前記バッファ部を画成する前記壁部の中央部分に、外方に延出する把手部が設けられている。
請求項３に係る発明によれば、ドレンパンの出入れまたは運搬に際して、持ち手となる把手部が設けられているから取扱いが容易となる。
【００１０】
請求項４に係る発明は、請求項１〜３の何れかに記載のドレンパンにおいて、前記整流手段は、各第１整流部材と前記貯留本体の中央との間の底板に該第１整流部材と離間して夫々立設され、該貯留本体の対角線に沿って延在する第３整流部材を備えている。
請求項４に係る発明によれば、貯留本体の中央領域にも第３整流部材が立設されているから、ドレンパンの引出しまたは運搬に際しての排水の波打ちを更に抑制することができ、ドレンパンの取扱いを容易にし得る。
【００１１】
請求項５に係る発明は、請求項１〜４の何れかに記載のドレンパンにおいて、前記貯留本体および整流手段は、該貯留本体の中央を通って前後または左右に沿って延在する仮想線を挟んで対称に構成される。
請求項５に係る発明によれば、各部材が前後または左右に対称に構成されているから、取付け方向を１８０°反転して入れ替えても使用することができ、取扱いが容易になると共に、汎用性を向上させることができる。
【発明の効果】
【００１２】
本発明に係るドレンパンによれば、ドレンパンの引出しまたは運搬に際しての排水の波打ちを整流手段により抑制することで、排水の流出を回避し得るだけでなく、ドレンパンを任意の角隅部を下端として傾けることで、整流手段により当該角隅部に向けて排水を整流しつつ案内し得る。すなわち、排水の廃棄に際しても、意図しない部位からの排水の流出を回避し得ると共に、廃棄作業を容易に実施し得る。
【発明を実施するための最良の形態】
【００１３】
次に、本発明に係るドレンパンにつき、好適な実施例を挙げて、添付図面を参照して以下に説明する。なお実施例では、従来例で説明した冷蔵庫に本願のドレンパンを採用した場合について説明し、便宜上、図８に示した冷蔵庫１０の構成要素と同一の要素については、同一の符号を使用するものとする。また、冷蔵庫において、ガラス扉１８,１８が設けられた側を前側として、前後左右を指称するものとする。
【実施例】
【００１４】
図３〜図５に示すように、実施例に係るドレンパン５０が配設される冷蔵庫１０は、内装板１２ａと外装板１２ｂとの間にウレタン等の断熱材１２ｃを充填してなる装置本体としての断熱箱体１２と、該箱体１２が載置される機体１５から基本的に構成されている(図３参照)。この機体１５の内部には、冷却機構３０を構成する圧縮機３２、凝縮器(図示せず)およびこの凝縮器を冷却するための送風装置３６等の構成部品や電装箱等が収納される機械室１６が画成される(図４参照)。また、機体１５における下面の４隅には、機体１５と設置床面との間に所要の間隔を設けるための複数の脚１７が配設されている。なお、実施例では、機体１５の後側を支える脚１７として、車輪付きのものを採用した例を挙げている。そして、機体１５と設置床面との間に画成された空間１９に、後述するドレンパン５０が引出し可能に設置されるようになっている。
【００１５】
前記断熱箱体１２には、内部に物品を収納するための収納室１４が画成されると共に、その前部に形成した開口１２ｄに一対のガラス扉１８,１８が夫々左右方向にスライド自在に支持されて、収納室１４を開閉し得るようになっている。また、収納室１４の下方に画成された空間には、冷却機構３０を構成する冷却器３８や、ファンモータを備えた冷気循環装置４０および冷気案内ダクト４２等が配設されている(図３参照)。そして、冷気循環装置４０により収納室１４から空間に送り込まれた空気は、冷却器３８との熱交換により冷気となって収納室１４へ送り出され、該収納室１４に収納された物品を冷却するようになっている。更に、断熱箱体１２の底部には、収納室１４の内底面に開口する排水パイプ４４が接続され、冷却機構３０の除霜運転において冷却器３８から生じた除霜水や、ガラス扉１８,１８に付着した結露水や、収納室１４の洗浄に利用した洗浄水等の排水を回収し、ドレンパン５０へ案内排出するよう構成される。
【００１６】
前記機体１５の下面には、該機体１５の底板に開設した開口部１５ａに対し機体１５の下方に設置されるドレンパン５０の後述する貯留本体５２を整合するように保持する載置部４６が設けられる。載置部４６は、開口部１５ａにおける左右の周縁に沿って機体１５の下面から空間１９に向けて垂設されると共に、その下端を互いに向き合う水平方向に屈曲形成した鉤状の部材であって、水平方向に延在する部位にドレンパン５０を載置保持するようになっている(図４参照)。そしてドレンパン５０は、前方に開口した載置部４６に対し前側から出入れされ(図５参照)、載置部４６にセットすると排水パイプ４４の下端が開口部１５ａを介してドレンパン５０の貯留本体５２に臨み、除霜により発生した除霜水や結露水等の排水が貯留本体５２内へ排出されるようになっている。また、送風装置３６を駆動すると、圧縮機３２や凝縮器と熱交換して昇温した空気流の一部が、開口部１５ａを介してドレンパン５０における貯留本体５２の上方へ吹付けられ、貯留本体５２に貯留された排水の蒸発に供されるようになっている。
【００１７】
図１または図２に示すように、ドレンパン５０は、例えば合成樹脂の成形品であって、略矩形状の底板５４と、この底板５４の周縁部に立設する周壁５６とから上方に開口するトレー状に形成した貯留本体５２を基本として、全体として平面略矩形状に形成されている。実施例のドレンパン５０は、貯留本体５２を前後方向に長辺が延在する平面長方形に形成してあり、周壁５６が、短辺側となる前後の側面を画成する第１壁部５７,５７と、長辺側となる左右の側面を画成する第２壁部５８,５８とを連設して構成される。またドレンパン５０は、貯留本体５２の内部に設けられて、ドレンパン５０の移動に際する排水の波打ちを抑制すると共に、排水の廃棄に際してのガイドとして機能する整流手段６０を備えている。更に、ドレンパン５０には、排水の廃棄に際して、適切な排出を補助するバッファ部６８と、貯留本体５２の補強を担うフランジ部７０と、このフランジ部７０に形成され、ドレンパン５０に取扱いに際して持ち手となる把手部７２とが設けられている。なおドレンパン５０は、排水量やメンテナンス頻度等を勘案して、空間１９の高さ寸法および脚１７,１７間の前後左右間隔の範囲内(機体１５の下側に収まる寸法)で適宜大きさに設定される。
【００１８】
前記整流手段６０は、何れも角が面取りされた薄肉の板状体であって、合成樹脂製の貯留本体５２と一体成形または接着や溶着等の適宜手段で固着することで、底板５４に対し垂直に立設されている。また、整流手段６０の上下寸法は、壁部５７,５８の上下寸法より小さく設定され、整流手段６０の上端が壁部５７,５８の上端より下方に位置するようになっている(図２参照)。
【００１９】
前記整流手段６０は、貯留本体５２の各角隅部５２ａに対応して底板５４に夫々立設した第１整流部材６２と、各第１整流部材６２の両側に底板５４から夫々立設した一対の第２整流部材６４,６４とからなる４つの組より構成されている。第１整流部材６２は、対応の角隅部５２ａから所定間隔離間して立設され、この角隅部５２ａと貯留本体５２の中央(対向する角隅部５２ａ,５２ａを結んだ対角線が交わる部位)との間に、該貯留本体５２の対角線に沿って延在している。また、各第２整流部材６４は、対応の第１整流部材６２から離間して配置され、貯留本体５２の中央側から該第１整流部材６２が指向する対応の角隅部５２ａに向かうにつれて該第１整流部材６２に向かって斜めに延在するよう構成される。
【００２０】
例えば、前方左側(図１の下方左側)に位置する角隅部５２ａに対応して設けられる第１整流部材６２は、前方左側の角隅部５２ａと後方右側の角隅部５２ａとを結ぶ対角線上に沿って延在し、前側から後側に向かうにつれて左側から右側に偏倚するように傾斜配置されている。第１整流部材６２は、前方左側の角隅部５２ａに指向する端縁が、この角隅部５２ａから所定間隔離間すると共に、前方左側の角隅部５２ａから離間する端縁が、貯留本体５２の中央(対角線が交わる部位)より前方左側の角隅部５２ａ側に位置する延在寸法に設定されている。なお、実施例の第１整流部材６２は、角隅部５２ａと貯留本体５２の中央との離間寸法に対し半分程度の延在寸法とされ、対応の角隅部５２ａ側に偏倚した位置に配置してある。
【００２１】
前記一対の第２整流部材６４,６４は、対応の第１整流部材６２を挟んで配設され、第１整流部材６２における角隅部５２ａに臨む端縁を、幅狭側とするハの字状に延在する配置関係となっている。すなわち、第１および第２整流部材６２,６４,６４は、対応の角隅部５２ａを中心として放射状に配置される。例えば、前方左側に位置する角隅部５２ａに対応する第１整流部材６２に対し、左側に設けられる第２整流部材６４は、前側から後側に向かうにつれて左側から右側に偏倚するように傾斜配置され、角隅部５２ａに臨む端縁を通る前後方向の仮想線に対する傾斜角度が第１整流部材６２より浅く設定される(図１参照)。一方、前方左側に位置する角隅部５２ａに対応する第１整流部材６２に対して、右側に設けられる第２整流部材６４は、前側から後側に向かうにつれて左側から右側に偏倚するように傾斜配置され、角隅部５２ａに臨む端縁を通る前後方向の仮想線に対する傾斜角度が第１整流部材６２より深く設定される。実施例では、各第２整流部材６４における角隅部５２ａに臨む端縁が、第１整流部材６２における延在寸法の半分程度に対応する位置に設定され、一対の第２整流部材６４,６４の延長ラインが、第１整流部材６２における角隅部５２ａに臨む端縁近傍で交差するようになっている。また、貯留本体５２において長辺側に延在する第２整流部材６４は、短辺側に延在する第２整流部材６４と比較して長尺に設定されている。
【００２２】
実施例の整流手段６０は、第１および第２整流部材６２,６４に加えて、貯留本体５２における中央領域に延在する第３整流部材６６を備えている(図１参照)。この第３整流部材６６は、各角隅部５２ａに対応して４つ設けられ、貯留本体５２の対角線上に延在するように底板５４から夫々立設される。また第３整流部材６６は、その角隅部５２ａ側の端縁が、同一の角隅部５２ａに対応する第１整流部材６２における当該角隅部５２ａから離間する端縁(貯留本体５２の中央側の端縁)から所定間隔離間すると共に、中央側の端縁が、貯留本体５２ａの中央から所定間隔離間する延在寸法および位置に設定される。すなわち第３整流部材６６は、貯留本体５２における角隅部５２ａと該貯留本体５２の中央との間において、中央側に偏倚した位置に配置されている。例えば、前方左側に位置する角隅部５２ａに対応して設けられる第３整流部材６６は、前方左側の角隅部５２ａと後方右側の角隅部５２ａとを結ぶ対角線上に沿って延在し、前側から後側に向かうにつれて左側から右側に偏倚するように傾斜配置されている。
【００２３】
このように整流手段６０は、１本の第１整流部材６２と、この第１整流部材６２に対応する２本の第２整流部材６４,６４とからなる組を基本として、これに１本の第３整流部材６６を加えて構成される整流組が、貯留本体５２における４つの角隅部５２ａに対応して４組設けられている。また、整流手段６０において、左右方向に隣り合う整流組は、貯留本体５２の中央を前後に延在する仮想線を挟んで対称な関係にあり、同様に前後方向に隣り合う整流組は、貯留本体５２における中央を左右に延在する仮想線を挟んで対称な関係となるように配置および延在寸法等が設定されている。なお、各整流部材６２,６４,６６同士は離間配置されており、貯留本体５２に受容した排水は、各整流部材６２,６４,６６の間を適宜流動して、貯留本体５２全体に均一に貯留されるようになっている。
【００２４】
前記周壁５６の一辺をなす壁部５７,５８の少なくとも一つは、その側端部分５７ａの夫々が外方に向けて突出するように形成されている。実施例では、貯留本体５２において、前または後側面を構成し、左右方向に延在する各第１壁部５７が、角隅部５２ａに接続する側端部分５７ａ,５７ａと比較して、その中央部分５７ｂが貯留本体５２の中央側へ向けて突出形成される。第１壁部５７は、その側端部分５７ａ,５７ａおよび中央部分５７ｂが、左右方向に沿って直線的に延在すると共に、側端部分５７ａ,５７ａと中央部分５７ｂとの連設部分５７ｃが、貯留本体５２の中央側から外方へ向かうにつれて角隅部５２ａ側へ傾斜形成されている。ここで、第１壁部５７の連設部分５７ｃは、当該連設部分５７ｃが臨む角隅部５２ａに対応して対角線上に沿って延在する第１整流部材６２と略平行に延在するように設定されている。
【００２５】
一方、貯留本体５２において、右および左側面を構成する第２壁部５８,５８は、前後方向に沿って直線的に延在し、第１壁部５７,５７の両側端部分５７ａ,５７ａに夫々連設され、第１壁部５７の側端部分５７ａと第２壁部５８との接続部分が、夫々貯留本体５２の角隅部５２ａとなる。そして、貯留本体５２の内側に、外方へ突出した第１壁部５７の側端部分５７ａが接続する角隅部５２ａに対応して、第１整流部材６２から離間するバッファ部６８が画成される。すなわち、貯留本体５２において、第１壁部５７の中央部分５７ｂの両脇に夫々位置して、第１壁部５７の側端部分５７ａおよび連設部分５７ｃと第２壁部５８とにより当該角隅部５２ａを挟んで画成される拡幅された空間部分が、排水の廃棄に際して緩衝領域として機能するバッファ部６８とされる。例えば、前方左側に位置する角隅部５２ａに対応して設けられるバッファ部６８は、貯留本体５２の左側面をなす第２壁部５８における前側の側端部分と、貯留本体５２の前面をなす第１壁部５７における左側の側端部分５７ａと、この第１壁部５７における左側の連設部分５７ｃとから画成されている。このように実施例では、周壁５６における対向する一対の壁部５７,５７の１組がクランク状に屈曲形成されて、各壁部５７における中央部分５７ｂの両脇に位置して、貯留本体５２の内側にバッファ部６８,６８が画成される。 
【００２６】
前記ドレンパン５０には、貯留本体５２において前後の同一側面上に隣り合う一対のバッファ部６８,６８の間であって、貯留本体５２の外側に、機体１５の載置部４６に対する出入れや運搬等に際して人が持つ部分となる把手部７２が設けられている。実施例では、貯留本体５２における周壁５６の上端部に設けられ、水平外方へ延出するフランジ部７０における一対のバッファ部６８,６８間に延在する部分を、把手部７２として兼用している。すなわち、バッファ部６８,６８を画成する壁部５７の中央部分５７ｂは、側端部分５７ａ,５７ａと比較して貯留本体５２の内側に凹み、中央部分５７ｂの外側に延出するフランジ部７０が幅広となって把手部７２として機能する。なお把手部７２は、ドレンパン５０における前後に夫々設けられている。
【００２７】
前記フランジ部７０は、貯留本体５２の外周全体に亘って周壁５６の上端部に一体的に形成されており、ドレンパン５０全体の捻れ剛性や撓み剛性の向上が図られている。また、フランジ部７０には、外周端部から下方に向けて延設した垂下片７０ａが設けられ、ドレンパン５０全体の更なる補強を図ると共に、把手部７２においては指先の引っ掛け部分としても機能する。なお、フランジ部７０には、水平部分の下面に周壁５６と垂下片７０ａの間に延設される複数のリブ７０ｂが所定間隔離間して一体形成されている。実施例では、ドレンパン５０の前面および後面に対応して、把手部７２を挟んで左右方向に離間して一対のリブ７０ｂ,７０ｂがフランジ部７０に設けられると共に、左右の側面に対応して前後方向に離間して３箇所にリブ７０ｂが設けられている。
【００２８】
前記ドレンパン５０において、バッファ部６８、フランジ部７０および把手部７２の構成は、貯留本体５２の中央部を前後に延在する仮想線を挟んで対称な関係にあって、かつ貯留本体５２における中央部を左右に延在する仮想線を挟んで対称な関係となるように形成されている。すなわち、ドレンパン５０は、前後左右方向に対称な構成であり、前後方向を入れ替えるように１８０°反転しても使用可能である。
【００２９】
〔実施例の作用〕
次に、実施例に係るドレンパンの作用について説明する。ドレンパン５０は、冷蔵庫１０の運転に先立ち、載置部４６に対して前側から押込むだけで容易に収納セットされる(図５参照)。そして、冷却運転および除霜運転により冷蔵庫１０内で生じた除霜水等の排水が排水パイプ４４を介して回収排出され、ドレンパン５０の貯留本体５２に次第に溜まる。そして、適宜タイミングで貯留本体５２に貯留された排水を廃棄する場合は、ドレンパン５０を前側の把手部７２を使用して冷蔵庫１０の前側へ引出すだけで載置部４６から簡単に取出すことができる。
【００３０】
前記ドレンパン５０の引出しや載置部４６から引出したドレンパン５０を持上げて運搬するのに伴って、ドレンパン５０を揺動または傾けることで、貯留本体５２に貯留された排水が揺動することがある。しかし、貯留本体５２の底板５４には、整流手段６０を構成する整流部材６２,６４,６４が何れの方向にも交差するように延在配置してあるから、前後左右斜めの何れの方向に排水が揺動しても、排水の急激な波打ちを抑制し得る。例えば、排水がドレンパン５０の前後方向に揺動する場合には、第１壁部５７側に延在する第２整流部材６４が、特に排水の動きを規制するように機能する。また、排水がドレンパン５０の左右方向に揺動する場合には、第２壁部５８側に延在する第２整流部材６４が、特に排水の動きを規制するように機能する。更に、排水がドレンパン５０の斜め方向に揺動する場合には、対角線上に延在する第１整流部材６２および第３整流部材６６が、特に排水の動きを規制するように機能する。このように、ドレンパン５０は、整流手段６０により排水の波打ちを抑制してこぼれ難いので、排水廃棄時の取扱いが容易である。
【００３１】
前記ドレンパン５０は、貯留本体５２における任意の角隅部５２ａを、排水場所に臨ませて全体的に傾けることで、貯留本体５２から排水を廃棄する。この際、傾斜下端となる角隅部５２ａに対応する第１整流部材６２および第２整流部材６４,６４が、傾斜方向となる対角線に沿って延在しているから、底板５４の傾斜により導かれた排水を、これら整流部材６２,６４,６４に案内させて傾斜下端の角隅部５２ａから纏まった状態で排出させることができる。また、第１整流部材６２を挟んで立設する一対の第２整流部材６４,６４が、傾斜上端側から傾斜下端となる角隅部５２ａ側に向かうに従い第１整流部材６２側に近接するように斜めに延在しているから、第１整流部材６２側に向けて排水を誘導し、第１整流部材６２に沿って排水を案内させることができる。しかも、傾斜下端となっている角隅部５２ａに対する対角線とは異なる対角線上に位置する第１および第２整流部材６２,６４は、排水の流下方向と交差する方向に延在することになるから、排水の急激な流下を抑制するように調節することができる。すなわち、ドレンパン５０に貯留した排水を廃棄する際、意図しない部位からの排水の流出を抑制しつつ、排水場所へ容易に廃棄することができる。従って、排水場所が狭い場合であっても、ドレンパン５０から的確に排水を廃棄し得る。
【００３２】
前記ドレンパン５０には、貯留本体５２の各角隅部５２ａにバッファ部６８を夫々設けて空間的に若干の余裕を持つように拡開してあるから、任意の角隅部５２ａを傾斜下端として傾けた際に流下する排水をバッファ部６８で一部受けて、当該角隅部５２ａから順次排出するように補助し得る。また、傾斜下端の角隅部５２ａに対応する第１および第２整流部材６２,６４,６４により案内されて流速が速くなった排水の勢いをバッファ部６８で緩和し得るので、角隅部５２ａから排水が勢いよく流出することなく、廃棄を容易に行ない得る。そして、バッファ部６８を画成する第１壁部５７の連設部分５７ｃを、対応の第１整流部材６２と略平行に延在するよう構成したから、連設部分５７ｃも対応する角隅部５２ａに排水を案内するガイドとして機能し、角隅部５２ａから流出する排水をより好適に纏めることができる。
【００３３】
前記把手部７２を、貯留本体５２の第１壁部５７における一対のバッファ部６８,６８間に設けることで、第１壁部５７の中央部分５７ｂは貯留本体５２の中央側に向けて突設されているから、フランジ部７０の突出寸法を大きくすることなく、把手部７２として指を引っ掛ける部分を確保し得る。そして、把手部７２を設けることで、ドレンパン５０の引出し、運搬および廃棄等の取扱い性を向上し得る。
【００３４】
前記貯留本体５２のバッファ部６８や把手部７２および整流手段６０は、貯留本体５２の中央を通って前後または左右に沿って延在する仮想線を挟んで対称に構成してあるから、載置部４６に対する取付け方向を１８０°反転して入れ替えても使用することができ、取扱いを容易にし得ると共に、汎用性を向上することができる。このように、実施例のドレンパン５０によれば、冷蔵庫１０からの取出し、運搬、排水の廃棄、および冷蔵庫への取付け等の一連の作業を効率よく実施し得る。
【００３５】
(変更例)
実施例のドレンパンは、以下の如く種々の変更を施すことも可能である。
(１)実施例では、第１壁部を屈曲形成することで、角隅部にバッファ部を設けたが、バッファ部を設けない構成も採用し得る。図６に示す変更例１のドレンパン８０は、貯留本体５２の側面をなす周壁５６が、左右方向に沿って直線的に延在する第１壁部５７と、前後方向に沿って直線的に延在する第２壁部５８とから構成される。なお、変更例１のドレンパン８０において、実施例と同様な機能の部材は、同一の符号を付して説明を省略する。
(２)実施例では、貯留本体を平面長方形状に形成すると共に、短辺をなす第１壁部側にバッファ部を設けたが、これに限定されず、貯留本体が平面正方形であっても、各辺をなす第２壁部側または第１壁部側および第２壁部側の何れもにバッファ部を設けてもよい。図７に示す変更例２のドレンパン８２は、貯留本体５２を平面正方形状とすると共に、第１壁部５７および第２壁部５８の中央部分５８ｂ,５８ｂを貯留本体５２の中央側へ向けて突出するように夫々屈曲形成することで、各角隅部５２ａを挟んで第１壁部５７の側端部分５７ａおよび連設部分５７ｃと、第２壁部５８の側端部分５８ａおよび連設部分５８ｃとから画成されるバッファ部６８が設けられる。変更例２のドレンパン８２によれば、バッファ部６８をより広くし得るから、角隅部５２ａから流出する排水の勢いを好適に調節し得ると共に、ドレンパン８２を９０°位相を変えた何れの向きでも載置部４６に対して取付けて使用することができ、汎用性を更に向上し得る。なお、変更例２のドレンパン８２において、実施例と同様な機能の部材は、同一の符号を付して説明を省略する。
(３)実施例では、冷却機構を有する装置として冷蔵庫を例示したが、本発明が対象とするドレンパンの設置対象は、これに限定されるものではなく、例えばショーケースや空調装置および製氷機等のドレンパンを必要とする装置が対象とされる。
【図面の簡単な説明】
【００３６】
【図１】本発明の好適な実施例に係るドレンパンを示す平面図である。
【図２】図１のＸ−Ｘ線断面図である。
【図３】実施例のドレンパンを取付けた冷蔵庫を一部破断して示す側面図である。
【図４】実施例のドレンパンを取付けた冷蔵庫の要部を示す側断面図である。
【図５】実施例のドレンパンの冷蔵庫への取付け状況を示す概略斜視図である。
【図６】変更例１に係るドレンパンを示す平面図である。
【図７】変更例２に係るドレンパンを示す平面図である。
【図８】従来のドレンパンを配設する冷蔵庫の一部を示す概略斜視図である。
【符号の説明】
【００３７】
５２ 貯留本体，５２ａ 角隅部，５４ 底板，５６ 周壁，
５７ 第１壁部(壁部)，５７ａ 側端部分，５７ｂ 中央部分，
６０ 整流手段，６２ 第１整流部材，６４ 第２整流部材，
６６ 第３整流部材，６８ バッファ部，７２ 把手部
【図１】
0004726690.tif 000002
【図２】
0004726690.tif 000003
【図３】
0004726690.tif 000004
【図４】
0004726690.tif 000005
【図５】
0004726690.tif 000006
【図６】
0004726690.tif 000007
【図７】
0004726690.tif 000008
【図８】
0004726690.tif 000009